(57)【要約】      （修正有）【課題】センサ領域のコントラストを解消し、表示部の視認性を向上させたタッチパネルを提供する。【解決手段】細線のメッシュで構成されたセンサ電極がそれぞれ形成された第１層と第２層とが透明な絶縁体を挟んで重畳された構造を有するタッチパネルにおいて、第１のセンサ電極７０と第１のメッシュパターン９０を共有する第１のダミー配線８０を第１層に設け、第２のセンサ電極と第２のメッシュパターンを共有する第２のダミー配線を第２層に設ける。第１のメッシュパターン９０と第２のメッシュパターンはそれらの２つの周期方向とその周期方向ごとの周期が相互に等しいものとされ、２つの周期方向の一方どうしと他方どうしとがいずれも１／４周期以上３／４周期以下の範囲のずれを有するように位置合わせされて重畳される。【選択図】図１
2019075069.tif 000002
【特許請求の範囲】
【請求項１】
細線のメッシュで構成されたセンサ電極がそれぞれ形成された第１層と第２層とが透明な絶縁体を挟んで重畳された構造を有するタッチパネルであって、
前記第１層には、第１のセンサ電極と、前記第１のセンサ電極が設けられた領域以外の領域に設けられ、前記第１のセンサ電極と絶縁された細線のメッシュで構成された第１のダミー配線とが形成され、
前記第２層には、第２のセンサ電極と、前記第２のセンサ電極が設けられた領域以外の領域に設けられ、前記第２のセンサ電極と絶縁された細線のメッシュで構成された第２のダミー配線とが形成され、
前記第１のセンサ電極と前記第１のダミー配線とは、相互の境界に細線の断絶した隙間が形成されて配されながら単一の連続した周期的メッシュパターンである第１のメッシュパターンを共有しており、
前記第２のセンサ電極と前記第２のダミー配線とは、相互の境界に細線の断絶した隙間が形成されて配されながら単一の連続した周期的メッシュパターンである第２のメッシュパターンを共有しており、
前記第１のメッシュパターン及び前記第２のメッシュパターンは、いずれも１種類の単位格子を相互に非平行な２つの周期方向とその周期方向ごとの周期とに従って並進する操作で平面充填した形状を有する格子パターンとされ、
前記第１のメッシュパターンと前記第２のメッシュパターンは、それらの前記２つの周期方向とその周期方向ごとの周期とが相互に等しいものとされ、
前記第１のメッシュパターンと前記第２のメッシュパターンは、それぞれの前記２つの周期方向の一方どうしと他方どうしとがいずれも１／４周期以上３／４周期以下の範囲のずれを有するように位置合わせされて重畳されていることを特徴とするタッチパネル。
【請求項２】
請求項１に記載のタッチパネルにおいて、
前記第１のメッシュパターンと前記第２のメッシュパターンは、それぞれの前記２つの周期方向の一方どうしと他方どうしとがいずれも１／２周期のずれを有するように位置合わせされて重畳されていることを特徴とするタッチパネル。
【請求項３】
請求項１又は２に記載のタッチパネルにおいて、
前記単位格子は４つ又は６つの頂点を直線、曲線もしくはそれらの結合でなる辺で結んで内部を取り囲んだ形状を有することを特徴とするタッチパネル。
【請求項４】
請求項３に記載のタッチパネルにおいて、
前記単位格子は菱形であることを特徴とするタッチパネル。
【請求項５】
請求項３に記載のタッチパネルにおいて、
前記単位格子は正方形であることを特徴とするタッチパネル。
【請求項６】
請求項３に記載のタッチパネルにおいて、
前記単位格子は正六角形であることを特徴とするタッチパネル。
【請求項７】
請求項１から６のいずれかに記載のタッチパネルにおいて、
前記第１層と前記第２層は透明な基体の一面側に、前記絶縁体である絶縁層を挟んで形成された印刷配線であることを特徴とするタッチパネル。
【請求項８】
請求項１から６のいずれかに記載のタッチパネルにおいて、
前記第１層と前記第２層は前記絶縁体である基体の一面側と他面側にそれぞれ形成された印刷配線であることを特徴とするタッチパネル。
【請求項９】
請求項７に記載のタッチパネルにおいて、
前記基体の一面側は、前記第１のメッシュパターン及び前記第２のメッシュパターンがそれぞれ全域に位置するセンサ領域と、前記センサ領域の周りの額縁領域とに区分され、
前記額縁領域には接続部を備えた引出し配線が前記第１層によって形成されており、
前記第２のセンサ電極の端縁には延長部が延長形成され、
前記延長部と前記第２のセンサ電極に対する前記接続部とは前記絶縁層に設けられた第１の貫通穴に位置して相互に接続され、
前記第１のメッシュパターンの辺縁には当該辺縁を前記第１の貫通穴から離間させる第１の欠除部が設けられていることを特徴とするタッチパネル。
【請求項１０】
請求項９に記載のタッチパネルにおいて、
前記第１の欠除部は前記第１のダミー配線に設けられていることを特徴とするタッチパネル。
【請求項１１】
請求項９又は１０に記載のタッチパネルにおいて、
前記第１のセンサ電極に対する前記接続部は前記第１のセンサ電極の端縁と連結されており、
前記絶縁層には前記第１のセンサ電極の端縁と連結されている前記接続部を露出させる第２の貫通穴が形成され、
前記第２のメッシュパターンの辺縁には当該辺縁を前記第２の貫通穴から離間させる第２の欠除部が設けられていることを特徴とするタッチパネル。
【請求項１２】
請求項１１に記載のタッチパネルにおいて、
前記第２の欠除部は前記第２のダミー配線に設けられていることを特徴とするタッチパネル。
【発明の詳細な説明】
【技術分野】
【０００１】
この発明はタッチ位置を検出するセンサ電極が細線のメッシュで構成されているタッチパネルに関する。
【背景技術】
【０００２】
図１４及び１５はこの種のタッチパネルの従来例として特許文献１に記載されている静電容量式のタッチパネルの構成を示したものである。このタッチパネルは透明基板１０上に第１の導体層、絶縁層、第２の導体層及び保護膜が順次、積層形成された構成とされている。図１４中、矩形枠で囲まれた部分はセンサ電極が位置するセンサ領域２０であり、図１４ではセンサ電極の詳細図示は省略されている。
【０００３】
センサ電極は第１のセンサ電極と第２のセンサ電極とよりなり、第１のセンサ電極は第１の導体層によって形成され、第２のセンサ電極は第２の導体層によって形成されている。
【０００４】
第１のセンサ電極３０は図１５Ａに示したように、センサ領域２０の長辺２１と平行なＸ方向に配列された複数の島状電極３１が連結部３２によって連結されてなる電極列３３がセンサ領域２０の短辺２２と平行なＹ方向に複数、並列配置されて構成されている。
【０００５】
第２のセンサ電極４０は図１５Ｂに示したように、Ｙ方向に配列された複数の島状電極４１が連結部４２によって連結されてなる電極列４３がＸ方向に複数、並列配置されて構成されている。
【０００６】
これら第１のセンサ電極３０及び第２のセンサ電極４０はそれぞれ細線のメッシュで形成されており、電極列３３と４３は互いに絶縁された状態で交差され、連結部３２と４２は互いに重なる位置に位置されている。
【０００７】
第１のセンサ電極３０の各電極列３３のＸ方向両端からは引出し配線５１がそれぞれ引き出されており、第２のセンサ電極４０の各電極列４３のＹ方向一端からは引出し配線５２がそれぞれ引き出されている。複数配列されてセンサ領域２０から引き出されている引出し配線５１，５２は図１４では配列の両端に位置するもの以外の図示は省略されている。
【０００８】
矩形状をなす透明基板１０の一方の長辺の中央部分には端子部５３が配列形成されており、引出し配線５１，５２は端子部５３まで延びて端子部５３に接続されている。センサ領域２０及び引出し配線５１，５２を囲むように透明基板１０の周縁部に形成されているグランド配線５４も端子部５３に接続されている。
【０００９】
引出し配線５１，５２及び端子部５３は第１の導体層によって形成され、グランド配線５４は第１及び第２の導体層の双方に形成されている。
【００１０】
上記のような構成を有する第１及び第２の導体層は、この例では銀などの導電粒子を含む導電インキを用い、グラビアオフセット印刷によって印刷形成されるものとなっている。
【先行技術文献】
【特許文献】
【００１１】
【特許文献１】特開２０１７−１０３３１７号公報
【発明の概要】
【発明が解決しようとする課題】
【００１２】
ところで、タッチパネルにおいて、電極パターンや配線パターンを銀などの導電粒子を含む導電インキを用いて印刷形成する場合、センサ領域に位置するセンサ電極はタッチパネルが配置される表示部の視認性を損うことのないように、高い光透過効率を有し、かつ視認されにくいようにすることが重要であり、このため上述したタッチパネルのように、導電インキを用いて印刷形成されるセンサ電極は一般に細線のメッシュで構成されるものとなっている。
【００１３】
一方、このように細線のメッシュでセンサ電極を構成しても、細線のメッシュが存在する部分と存在しない部分とで視覚的なコントラストの発生は免れえず、このようなコントラストは表示部の視認性に少なからず影響を及ぼすことになる。
【００１４】
この点、上述したタッチパネルでは第１のセンサ電極３０と第２のセンサ電極４０は連結部３２と４２が互いに重なる位置に位置されて電極列３３と４３が互いに交差するように配置され、つまり第２の導体層の島状電極４１は第１の導体層において細線のメッシュが存在しない位置に、その位置を埋めるように配置される構成となっているため、第１の導体層で発生するコントラストと第２の導体層で発生するコントラストとは互いに打ち消し合うように作用し、これによりセンサ領域のコントラストが低減されるものとなっている。
【００１５】
しかしながら、第１の導体層と第２の導体層との間には絶縁層が存在しているため、第２の導体層の視覚的なコントラストと、絶縁層を介した第１の導体層の視覚的なコントラストとは同じではなく、その点で従来のタッチパネルにおいてはセンサ領域のコントラストは完全には解消されていない状況にあった。
【００１６】
この発明の目的はこのような状況に鑑み、センサ領域のコントラストを完全に解消できるようにし、その点で表示部に対する視覚的影響を有さず、優れた品質を有するタッチパネルを提供することにある。
【課題を解決するための手段】
【００１７】
請求項１の発明によれば、細線のメッシュで構成されたセンサ電極がそれぞれ形成された第１層と第２層とが透明な絶縁体を挟んで重畳された構造を有するタッチパネルにおいて、第１層には第１のセンサ電極と、第１のセンサ電極が設けられた領域以外の領域に設けられ、第１のセンサ電極と絶縁された細線のメッシュで構成された第１のダミー配線とが形成され、第２層には第２のセンサ電極と、第２のセンサ電極が設けられた領域以外の領域に設けられ、第２のセンサ電極と絶縁された細線のメッシュで構成された第２のダミー配線とが形成され、第１のセンサ電極と第１のダミー配線とは相互の境界に細線の断絶した隙間が形成されて配されながら単一の連続した周期的メッシュパターンである第１のメッシュパターンを共有し、第２のセンサ電極と第２のダミー配線とは相互の境界に細線の断絶した隙間が形成されて配されながら単一の連続した周期的メッシュパターンである第２のメッシュパターンを共有し、第１のメッシュパターン及び第２のメッシュパターンはいずれも１種類の単位格子を相互に非平行な２つの周期方向とその周期方向ごとの周期とに従って並進する操作で平面充填した形状を有する格子パターンとされ、第１のメッシュパターンと第２のメッシュパターンはそれらの２つの周期方向とその周期方向ごとの周期とが相互に等しいものとされ、第１のメッシュパターンと第２のメッシュパターンはそれぞれの２つの周期方向の一方どうしと他方どうしとがいずれも１／４周期以上３／４周期以下の範囲のずれを有するように位置合わせされて重畳されているものとされる。
【００１８】
請求項２の発明では請求項１の発明において、第１のメッシュパターンと第２のメッシュパターンはそれぞれの２つの周期方向の一方どうしと他方どうしとがいずれも１／２周期のずれを有するように位置合わせされて重畳されているものとされる。
【００１９】
請求項３の発明では請求項１又は２の発明において、単位格子は４つ又は６つの頂点を直線、曲線もしくはそれらの結合でなる辺で結んで内部を取り囲んだ形状を有するものとされる。
【００２０】
請求項４の発明では請求項３の発明において、単位格子は菱形とされる。
【００２１】
請求項５の発明では請求項３の発明において、単位格子は正方形とされる。
【００２２】
請求項６の発明では請求項３の発明において、単位格子は正六角形とされる。
【００２３】
請求項７の発明では請求項１から６のいずれかの発明において、第１層と第２層は透明な基体の一面側に、絶縁体である絶縁層を挟んで形成された印刷配線とされる。
【００２４】
請求項８の発明では請求項１から６のいずれかの発明において、第１層と第２層は絶縁体である基体の一面側と他面側にそれぞれ形成された印刷配線とされる。
【００２５】
請求項９の発明では請求項７の発明において、基体の一面側は第１のメッシュパターン及び第２のメッシュパターンがそれぞれ全域に位置するセンサ領域と、センサ領域の周りの額縁領域とに区分され、額縁領域には接続部を備えた引出し配線が第１層によって形成されており、第２のセンサ電極の端縁には延長部が延長形成され、延長部と第２のセンサ電極に対する接続部とは絶縁層に設けられた第１の貫通穴に位置して相互に接続され、第１のメッシュパターンの辺縁には当該辺縁を第１の貫通穴から離間させる第１の欠除部が設けられているものとされる。
【００２６】
請求項１０の発明では請求項９の発明において、第１の欠除部は第１のダミー配線に設けられているものとされる。
【００２７】
請求項１１の発明では請求項９又は１０の発明において、第１のセンサ電極に対する接続部は第１のセンサ電極の端縁と連結されており、絶縁層には第１のセンサ電極の端縁と連結されている接続部を露出させる第２の貫通穴が形成され、第２のメッシュパターンの辺縁には当該辺縁を第２の貫通穴から離間させる第２の欠除部が設けられているものとされる。
【００２８】
請求項１２の発明では請求項１１の発明において、第２の欠除部は第２のダミー配線に設けられているものとされる。
【発明の効果】
【００２９】
この発明によれば、第１のセンサ電極が形成される第１層及び第２のセンサ電極が形成される第２層には細線のメッシュの有無に基因する視覚的なコントラストは発生せず、センサ領域のコントラストを完全に解消することができ、これにより表示部の視認性を損うことのない優れた品質のタッチパネルを得ることができる。
【図面の簡単な説明】
【００３０】
【図１】この発明によるタッチパネルの一実施例における第１層のメッシュパターンを示す部分拡大図。
【図２】この発明によるタッチパネルの一実施例における第２層のメッシュパターンを示す部分拡大図。
【図３】図１に示したメッシュパターンと図２に示したメッシュパターンが重畳された状態を示す部分拡大図。
【図４】Ａはこの発明によるタッチパネルの一実施例の一部断面を示す図、Ｂはこの発明によるタッチパネルの他の実施例の一部断面を示す図。
【図５】Ａは単位格子が正方形の格子パターンを示す図、ＢはＡに重畳されるＡと同様の格子パターンを示す図、ＣはＡとＢが重畳された状態を示す図。
【図６】Ａは単位格子が正六角形の格子パターンを示す図、ＢはＡに重畳されるＡと同様の格子パターンを示す図、ＣはＡとＢが重畳された状態を示す図。
【図７】単位格子が長方形の２つの格子パターンが重畳された状態を示す図。
【図８】単位格子が横に長い六角形の２つの格子パターンが重畳された状態を示す図。
【図９】単位格子が４つの頂点を直線と曲線で結んだ形状の２つの格子パターンが重畳された状態を示す図。
【図１０】単位格子が４つの頂点を直線と曲線で結んだ形状の２つの格子パターンが重畳された状態を示す図。
【図１１】Ａは単位格子の形状例を示す図、Ｂは単位格子の形状例を示す図。
【図１２】この発明によるタッチパネルの一実施例における第２のセンサ電極と引出し配線が接続されている部分の部分拡大図。
【図１３】この発明によるタッチパネルの一実施例における第１のセンサ電極と引出し配線が接続されている部分の部分拡大図。
【図１４】タッチパネルの構成例を示す図。
【図１５】Ａはタッチパネルの第１の導体層の従来構成例を示す部分拡大図、Ｂはタッチパネルの第２の導体層の従来構成例を示す部分拡大図。
【発明を実施するための形態】
【００３１】
この発明の実施形態を図面を参照して実施例により説明する。
【００３２】
図１〜３はこの発明によるタッチパネルの一実施例が有する構成の要部詳細を示したものであり、図４Ａは図１〜３に示したタッチパネルの一部断面を示したものである。
【００３３】
タッチパネルはこの例では透明な基体６１の一面側に、導体の第１層６２、絶縁層６３、導体の第２層６４及び保護膜６５が順次、積層形成された構成を有し、保護膜６５上にはカバーフィルム６６が設けられている。絶縁層６３、保護膜６５及びカバーフィルム６６は透明材よりなり、導体の第１層６２及び第２層６４は銀などの導電粒子を含んだ導電インキによって印刷形成されている。なお、このタッチパネルは図１２に示した従来例のタッチパネルとセンサ領域２０の構成が異なるものであって、センサ領域２０以外の構成は図１２に示した構成と基本的に同じである。図１〜３は図１２における左上部に相当する位置の詳細を示したものである。
【００３４】
図１は第１層６２の印刷配線の詳細を示したものであり、センサ領域２０には第１のセンサ電極７０と第１のダミー配線８０とが形成されている。第１のセンサ電極７０はＸ方向に配列された複数の島状電極７１が連結部７２によって連結されてなる電極列７３がＹ方向に複数、並列配置されて構成されており、第１のダミー配線８０はセンサ領域２０において第１のセンサ電極７０が設けられた領域以外の領域に第１のセンサ電極７０と絶縁されて設けられている。
【００３５】
第１のセンサ電極７０と第１のダミー配線８０はいずれも細線のメッシュで構成されており、これら第１のセンサ電極７０と第１のダミー配線８０は相互の境界に細線の断絶した隙間９１が形成されて配されながら単一の連続した周期的メッシュパターンである第１のメッシュパターン９０を共有している。第１のメッシュパターン９０の単位格子はこの例では１辺の長さが４００μｍの菱形とされており、メッシュを構成する細線の線幅は７μｍとされている。なお、第１のセンサ電極７０と第１のダミー配線８０とを絶縁する隙間９１は２０μｍ程度とされている。図１ではこの隙間９１は相対的に拡大して示している。
【００３６】
一方、図２は第２層６４の印刷配線の詳細を示したものであり、センサ領域２０には第２のセンサ電極１００と第２のダミー配線１１０とが形成されている。第２のセンサ電極１００はＹ方向に配列された複数の島状電極１０１が連結部１０２によって連結されてなる電極列１０３がＸ方向に複数、並列配置されて構成されており、第２のダミー配線１１０はセンサ領域２０において第２のセンサ電極１００が設けられた領域以外の領域に第２のセンサ電極１００と絶縁されて設けられている。
【００３７】
第２のセンサ電極１００と第２のダミー配線１１０はいずれも細線のメッシュで構成されており、これら第２のセンサ電極１００と第２のダミー配線１１０は相互の境界に細線の断絶した隙間１２１が形成されて配されながら単一の連続した周期的メッシュパターンである第２のメッシュパターン１２０を共有している。第２のメッシュパターン１２０はこの例では第１のメッシュパターン９０と同じメッシュパターンとされ、メッシュを構成する細線がセンサ領域２０の長辺２１となす角度も同じとされている。なお、図１と同様、隙間１２１は相対的に拡大して示している。
【００３８】
図３は図１に示した第１層６２の印刷配線と図２に示した第２層６４の印刷配線とが絶縁層６３を挟んで重畳された状態を示したものであり、第１層６２の第１のメッシュパタ
ーン９０と第２層６４の第２のメッシュパターン１２０とは互いに単位格子の菱形の辺を２００μｍずつに２分する中点で交差するように重畳されており、これにより１辺の長さが２００μｍの菱形の格子が図３に示したようにセンサ領域２０の全面に極めて均一に形成された状態となっている。なお、第１のセンサ電極７０の電極列７３と第２のセンサ電極１００の電極列１０３は連結部７２と１０２が互いに重なる位置に位置されて交差されている。
【００３９】
上述したように、この例によれば第１のセンサ電極７０が形成される第１層６２のセンサ領域２０には第１のメッシュパターン９０が一様に存在する状態となっており、第２のセンサ電極１００が形成される第２層６４のセンサ領域２０にも第２のメッシュパターン１２０が一様に存在する状態となっている。よって、第１層６２及び第２層６４にはいずれも細線のメッシュの有無に基因する視覚的なコントラストは発生せず、第１層６２と第２層６４が重畳された状態においても当然に視覚的なコントラストは発生せず、センサ領域２０のコントラストを完全に解消することができるものとなっている。従って、表示部に対して視覚的に影響せず、見栄えがよく、優れた品質のタッチパネルを得ることができる。
【００４０】
なお、第１のメッシュパターン９０と第２のメッシュパターン１２０は上述したように菱形の辺を２００μｍずつに２分する中点で交差するように重畳されるため、第１のメッシュパターン９０を構成する細線と第２のメッシュパターン１２０を構成する細線とは近接せず、よって近接した細線の組があたかも１本の太い線のように、視認可能な相対的に濃い線を描くといったことも発生しない。
【００４１】
第１層６２の印刷配線と第２層６４の印刷配線は上述した例では基体６１の一面側に絶縁層６３を挟んで形成されるものとなっているが、第１層６２の印刷配線と第２層６４の印刷配線は基体６１の一面側と他面側にそれぞれ形成される構成であってもよい。図４Ｂはこの構成を示したものであり、図４Ａと対応する部分には同一符号を付してある。図４Ｂ中、６７は保護膜を示す。なお、基体６１は絶縁体とされる。
【００４２】
ここで、第１のセンサ電極７０が設けられる第１層６２に形成される第１のメッシュパターン及び第２のセンサ電極１００が設けられる第２層６４に形成される第２のメッシュパターンについて、さらに詳述する。
【００４３】
第１のメッシュパターンと第２のメッシュパターンは、いずれも１種類の単位格子を相互に非平行な２つの周期方向とその周期方向ごとの周期とに従って並進する操作で平面充填した形状を有する格子パターンとされ、第１のメッシュパターンと第２のメッシュパターンは、それらの２つの周期方向とその周期方向ごとの周期が相互に等しいものとされる。
【００４４】
第１のメッシュパターンと第２のメッシュパターンは所定のずれを有するように位置合わせされて重畳される。上述した例では第１のメッシュパターンと第２のメッシュパターンの単位格子は１辺の長さが４００μｍの菱形とされて菱形の辺を２００μｍずつに２分する中点で交差するように第１のメッシュパターンと第２のメッシュパターンが重畳され、即ち第１のメッシュパターンと第２のメッシュパターンは２つの周期方向の一方どうしと他方どうしとがいずれも１／２周期のずれを有するように位置合わせされて重畳されている。これにより、第１のメッシュパターンと第２のメッシュパターンを構成する細線どうしが最大の間隔をもって離れるようにし、かつ重畳された状態で１辺の長さが２００μｍの菱形が均一に形成されるようにしているが、第１のメッシュパターンと第２のメッシュパターンの重畳においては２つの周期方向の一方どうしと他方どうしとがいずれも１／４周期以上３／４周期以下の範囲のずれを有するように位置合わせすればよく、これによ
り重畳による細線どうしの近接を十分に回避することができる。
【００４５】
単位格子は上述した例では菱形としているが、これに限らず、多様な形状を採用することができる。例えば単位格子の形状は正方形や正六角形であってもよい。これらの格子パターンの２つの周期方向の相対角度は正方形では９０°、正六角形では６０°となる。また、その周期は相互に平行な対向する辺どうしの間隔（正方形では１辺の長さ）となる。
【００４６】
図５Ａ，Ｂは単位格子が正方形の格子パターン１３１，１３２をそれぞれ示したものであり、図５Ｃはそれら格子パターン１３１，１３２が、２つの周期方向の一方どうしと他方どうしとがいずれも１／２周期のずれを有するように位置合わせされて重畳された状態を示したものである。
【００４７】
図６Ａ，Ｂは単位格子が正六角形の格子パターン１４１，１４２をそれぞれ示したものであり、図６Ｃはそれら格子パターン１４１，１４２が、２つの周期方向の一方どうしと他方どうしとがいずれも１／２周期のずれを有するように位置合わせされて重畳された状態を示したものである。
【００４８】
さらに、単位格子の形状は長方形や平行四辺形であってもよく、また３組の相互に平行な対向する辺で囲まれているものの、対向２辺間の間隔が同じでないような六角形であってもよい。
【００４９】
図７は単位格子が長方形の格子パターン１５１，１５２が重畳された状態を示したものであり、図８は３組の相互に平行な対向する辺で囲まれているものの、対向２辺間の間隔のうちの１つが狭い横長の六角形の単位格子を有する格子パターン１６１，１６２が重畳された状態を示したものである。
【００５０】
これら図７及び図８に例示したような多様な形状の単位格子は正方形や正六角形の単位格子あるいはその単位格子でなる格子パターンに、下記（１）又は（２）の図形変換の操作を行うことによって得ることができる。
【００５１】
（１）平面内の任意の一方向に異方的に伸縮させる図形変換
（２）平面内の任意に定義した第１の斜交座標系における図形の各点の座標値を、第１の斜交座標系とは異なる座標軸間角度を有する任意の第２の斜交座標系に当てはめて得られる図形への図形変換
【００５２】
例えば、（１）の操作によって正方形は長方形や菱形、平行四辺形になり、（２）の操作によって正方形は菱形になる。また、正六角形は（１）又は（２）の操作によって３組の相互に平行な対向する辺で囲まれているものの、対向２辺間の間隔が同じでない六角形になる。
【００５３】
なお、単位格子は上記においては４つ又は６つの頂点を直線でなる辺で結んで内部を取り囲んだ形状となっているが、４つ又は６つの頂点を曲線または直線と曲線でなる辺で結んで内部を取り囲んだ形状としてもよい。
【００５４】
このような形状の単位格子は正方形や正六角形の単位格子に下記（３）の操作を行うことによって得ることができる。
【００５５】
（３）相互に平行な対向する辺の線分を、共に同じ曲線又は曲線と直線の結合でなる線に置換する
【００５６】
図９は正方形の単位格子に（３）の操作を行った単位格子を有する格子パターン１７１，１７２が重畳された状態を示したものであり、図１０も正方形の単位格子に（３）の操作を行った単位格子を有する格子パターン１８１，１８２が重畳された状態を示したものである。なお、図１１Ａは正方形の単位格子に（３）の操作を行って得た単位格子１９０の形状例をさらに示したものであり、図１１Ｂは正六角形の単位格子に前記した（１）の操作を行って得た単位格子２００の形状例をさらに示したものである。
【００５７】
１種類の単位格子を相互に非平行な２つの周期方向とその周期方向ごとの周期とに従って並進する操作で平面充填することができる単位格子あるいはその単位格子でなる格子パターンは上記（１）〜（３）の操作を複合して行っても得ることができる。
【００５８】
なお、第１のメッシュパターンと第２のメッシュパターンは単位格子の周期方向と周期が一致していれば単位格子の形状自体は必ずしも一致していなくてもよい。例えば、第２のメッシュパターンの単位格子が第１のメッシュパターンの単位格子に上記（３）の操作を行ったものであってもよい。
【００５９】
以上、第１層６２に形成される第１のメッシュパターン及び第２層６４に形成される第２のメッシュパターンについて説明したが、これら第１のメッシュパターン及び第２のメッシュパターンは前述したようにセンサ領域２０のコントラストを解消すべく、それぞれセンサ領域２０の全域に位置しており、図４Ａに示した層構成のタッチパネルの場合、第１のセンサ電極７０と第２のダミー配線１１０は絶縁層６３を挟んで重なり合い、同様に第２のセンサ電極１００と第１のダミー配線８０は絶縁層６３を挟んで重なり合うことになる。
【００６０】
次に、第２層６４によって形成されている第２のセンサ電極１００と、センサ領域２０の周りの額縁領域に、第１層６２によって形成されている引出し配線５２との接続部分について説明する。
【００６１】
図１２はこの接続部分を示したものであり、引出し配線５２の先端には細線の細密なメッシュよりなる接続部５２ａが形成されている。一方、第２のセンサ電極１００の端縁には延長部１０４が延長形成されている。延長部１０４はこの例では第２のセンサ電極１００を構成するメッシュが延長された大メッシュ部１０４ａと、大メッシュ部１０４ａからさらに延長形成された小メッシュ部１０４ｂとよりなる。小メッシュ部１０４ｂは細線の細密なメッシュとされ、この小メッシュ部１０４ｂと引出し配線５２の接続部５２ａとは単位格子が正方形の同一のメッシュ構造を有するものとなっている。
【００６２】
絶縁層６３には貫通穴６３ａが形成されており、引出し配線５２の接続部５２ａと第２のセンサ電極１００の延長部１０４はこの貫通穴６３ａに位置して互いに接触導通され、これにより第２のセンサ電極１００に引出し配線５２が接続される。なお、同一のメッシュ構造を有する接続部５２ａと小メッシュ部１０４ｂは、この例では図１２に示したように１／２ピッチ（１／２周期）のずれを有するように位置合わせされて重畳されている。
【００６３】
一方、第２のセンサ電極１００と絶縁層６３を挟んで重なり合う第１のダミー配線８０（図１２では破線で示している）の辺縁にはこの例では細線のメッシュが欠除された欠除部８１が設けられており、この欠除部８１により第１のダミー配線８０の辺縁は貫通穴６３ａから離間されている。このような欠除部８１を設けることにより、この例では第１のダミー配線８０が第２のセンサ電極１００と接触することにより発生する不具合を回避することができるものとなっている。
【００６４】
即ち、第１層６２、絶縁層６３及び第２層６４の印刷における印刷ずれや滲みに起因して第１のダミー配線８０が絶縁層６３の辺縁からはみ出し、つまり貫通穴６３ａ内にはみ出て、第２のセンサ電極１００の延長部１０４と接触導通すると、その第１のダミー配線８０が接触導通した第２のセンサ電極１００の静電容量が顕著に変化するという不具合が発生する。これに対し、第１のダミー配線８０にその辺縁を貫通穴６３ａから離間させる欠除部８１を設けることにより、その欠除部８１の寸法分の絶縁を担保する間隙が形成されるので、印刷においてその寸法以内の印刷ずれや滲みが生じても、第１のダミー配線８０と第２のセンサ電極１００の接触導通を回避することができ、よって第２のセンサ電極１００の静電容量が変化するといった不具合の発生を防止することができる。なお、図１２中に示した欠除部８１の寸法ｄ１，ｄ２は例えば１６０μｍ程度、確保するものとする。
【００６５】
図１３は第１のセンサ電極７０と引出し配線５１の接続部分を示したものである。引出し配線５１の先端には引出し配線５２の接続部５２ａと同様、細線の細密なメッシュよりなる接続部５１ａが形成されており、この接続部５１ａを介して第１のセンサ電極７０と引出し配線５１は接続されている。
【００６６】
第１のセンサ電極７０、引出し配線５１及び接続部５１ａは同じ第１層６２によって形成され、よって接続部５１ａは絶縁層６３によって覆われることになるが、例えば第１のセンサ電極７０の端縁と連結されている接続部５１ａを第１のセンサ電極７０の電気的検査を行うための検査用パッドとして用いる場合は図１３に示したように接続部５１ａを露出させる貫通穴６３ｂが絶縁層６３に設けられる。この場合、前述した第２のセンサ電極１００と引出し配線５２との接続部分と同様の不具合が発生しうる。よって、第１のセンサ電極７０と絶縁層６３を挟んで重なり合う第２のダミー配線１１０（図１３では破線で示している）の辺縁には第２のダミー配線１１０の辺縁を貫通穴６３ｂから離間させる欠除部１１１を設ける。
【００６７】
このように欠除部１１１を設けることにより、印刷ずれや滲みによって第２のダミー配線１１０が貫通穴６３ｂ内にはみ出て接続部５１ａと接触導通し、これにより第１のセンサ電極７０の静電容量が変化するといった不具合の発生を防止することができる。なお、図１３中に示した欠除部１１１の寸法ｄ１，ｄ２は、欠除部８１と同様の値とする。
【００６８】
なお、上述したように第１のダミー配線８０や第２のダミー配線１１０の辺縁に、言い換えれば第１のメッシュパターンや第２のメッシュパターンの辺縁に、細線のメッシュのない欠除部が存在する場合、欠除部はセンサ領域の外側に位置するのが好ましく、つまりセンサ領域の辺縁は欠除部よりも内側に設定するのが好ましい。
【符号の説明】
【００６９】
１０    透明基板                          ２０    センサ領域
２１    長辺                              ２２    短辺
３０    第１のセンサ電極                  ３１    島状電極
３２    連結部                            ３３    電極列
４０    第２のセンサ電極                  ４１    島状電極
４２    連結部                            ４３    電極列
５１，５２    引出し配線                  ５１ａ，５２ａ    接続部
５３    端子部                            ５４    グランド配線
６１    基体                              ６２    第１層
６３    絶縁層                            ６３ａ，６３ｂ    貫通穴
６４    第２層                            ６５    保護膜
６６    カバーフィルム                    ６７    保護膜
７０    第１のセンサ電極                  ７１    島状電極
７２    連結部                            ７３    電極列
８０    第１のダミー配線                  ８１    欠除部
９０    第１のメッシュパターン            ９１    隙間
１００    第２のセンサ電極                １０１    島状電極
１０２    連結部                          １０３    電極列
１０４ａ    大メッシュ部                  １０４ｂ    小メッシュ部
１０４    延長部                          １１０    第２のダミー配線
１１１    欠除部                          １２０    第２のメッシュパターン
１２１    隙間
１３１，１３２，１４１，１４２，１５１，１５２    格子パターン
１６１，１６２，１７１，１７２，１８１，１８２    格子パターン
１９０，２００    単位格子
【図１】
2019075069.tif 000003
【図２】
2019075069.tif 000004
【図３】
2019075069.tif 000005
【図４】
2019075069.tif 000006
【図５】
2019075069.tif 000007
【図６】
2019075069.tif 000008
【図７】
2019075069.tif 000009
【図８】
2019075069.tif 000010
【図９】
2019075069.tif 000011
【図１０】
2019075069.tif 000012
【図１１】
2019075069.tif 000013
【図１２】
2019075069.tif 000014
【図１３】
2019075069.tif 000015
【図１４】
2019075069.tif 000016
【図１５】
2019075069.tif 000017